(57)【要約】【課題】４本のアンテナで様々な電波環境に対処する。【解決手段】第１スイッチ回路５に第１及び第２アンテナ１及び２を接続し、第２スイッチ回路６に第３及び第４アンテナ３及び４を接続する。第１及び第２スイッチ回路５及び６は、１８０°ハイブリッド回路７に接続される。さらに１８０°ハイブリッド回路７は、第３スイッチ回路８に接続される。制御回路９は、第１制御信号を第１スイッチ回路５に、第２制御信号を第２スイッチ回路６に、第３制御信号を第３スイッチ回路８に出力する。第１制御信号に応じて第１スイッチ回路５は第１アンテナ１と第２アンテナ２を切り替え、第２制御信号に応じて第２スイッチ回路６は第３アンテナ３と第４アンテナ４を切り替える。第３制御信号に応じて第３スイッチ回路８は１８０°ハイブリッド回路７との接続を切り替える。これにより、スペース・ダイバーシティ、偏波ダイバーシティ、指向性ダイバーシティの組み合わせを実現することができる。【選択図】　図１
2004147154.tif 000002
【特許請求の範囲】
【請求項１】
それぞれ同一周波数帯域に共振周波数を有し且つ互いに前記共振周波数の波長の１／４以上の間隔をあけて配置されている第１乃至第４アンテナと、
第１入出力ポートを有しており、前記第１アンテナと前記第２アンテナに接続されており、前記第１アンテナと前記第２アンテナのいずれかを前記第１入出力ポートに接続する第１スイッチ回路と、
第２入出力ポートを有しており、前記第３アンテナと前記第４アンテナに接続されており、前記第３アンテナと前記第４アンテナのいずれかを前記第２入出力ポートに接続する第２スイッチ回路と、
第１及び第２のポートと、前記第１スイッチ回路の前記第１入出力ポートに接続される第３のポートと、前記第２スイッチ回路の前記第２入出力ポートに接続される第４のポートとを有し、前記第１のポートから入力された高周波電流を前記第３及び第４のポートに出力すると共に、前記第２のポートから入力された高周波電流を前記第３のポートに出力し且つ当該第３のポートの出力の位相をθ度変化させて前記第４のポートに出力する分割機能と、前記第３及び第４のポートに入力された高周波電流を合成して前記第１のポートに出力すると共に、当該第１のポートの出力の位相をθ度変化させて前記第２のポートに出力する合成機能とを備えたハイブリッド回路と、
前記ハイブリッド回路の前記第１のポートと前記第２のポートを切り替える第３スイッチ回路と、
を有するダイバーシティアンテナ回路。
【請求項２】
前記第１スイッチ回路の前記第１入出力ポートと前記第１アンテナとを接続させるための第１制御信号を前記第１スイッチ回路に出力し且つ前記第２スイッチ回路の前記第２入出力ポートと前記第３アンテナとを接続させるための第２制御信号を前記第２スイッチ回路に出力する第１モードと、前記第１スイッチ回路の前記第１入出力ポートと前記第２アンテナとを接続させるための第１制御信号を前記第１スイッチ回路に出力し且つ前記第２スイッチ回路の前記第２入出力ポートと前記第４アンテナとを接続させるための第２制御信号を前記第２スイッチ回路に出力する第２モードとを切り替える制御回路
をさらに有する請求項１記載のダイバーシティアンテナ回路。
【請求項３】
前記第１スイッチ回路の前記第１入出力ポートと前記第１アンテナとを接続させるための第１制御信号を前記第１スイッチ回路に出力し且つ前記第２スイッチ回路の前記第２入出力ポートと前記第４アンテナとを接続させるための第２制御信号を前記第２スイッチ回路に出力する第３モードと、前記第１スイッチ回路の前記第１入出力ポートと前記第２アンテナとを接続させるための第１制御信号を前記第１スイッチ回路に出力し且つ前記第２スイッチ回路の前記第２入出力ポートと前記第３アンテナとを接続させるための第２制御信号を前記第２スイッチ回路に出力する第４モードとを切り替える制御回路
をさらに有する請求項１又は２記載のダイバーシティアンテナ回路。
【請求項４】
前記第１スイッチ回路の前記第１入出力ポートと前記第１アンテナとを接続させ且つ前記第２スイッチ回路の前記第２入出力ポートと前記第３アンテナとを接続させる第１モードと、前記第１スイッチ回路の前記第１入出力ポートと前記第２アンテナとを接続させ且つ前記第２スイッチ回路の前記第２入出力ポートと前記第４アンテナとを接続させる第２モードとが切り替えられる
ことを特徴とする請求項１記載のダイバーシティアンテナ回路。
【請求項５】
前記第１スイッチ回路の前記第１入出力ポートと前記第１アンテナとを接続させ且つ前記第２スイッチ回路の前記第２入出力ポートと前記第４アンテナとを接続させる第３モードと、前記第１スイッチ回路の前記第１入出力ポートと前記第２アンテナとを接続させ且つ前記第２スイッチ回路の前記第２入出力ポートと前記第３アンテナとを接続させる第４モードとが切り替えられる
ことを特徴とする請求項１又は４記載のダイバーシティアンテナ回路。
【請求項６】
前記第３スイッチ回路が前記ハイブリッド回路の前記第１のポートに切り替えた第１接続状態において前記第１及び第２モードが切り替えられ、前記第３スイッチ回路が前記ハイブリッド回路の前記第２のポートに切り替えた第２接続状態において前記第１及び第２モードが切り替えられる
ことを特徴とする請求項２又は４記載のダイバーシティアンテナ回路。
【請求項７】
前記第３スイッチ回路が前記ハイブリッド回路の前記第１のポートに切り替えた第１接続状態において前記第３及び第４モードが切り替えられ、前記第３スイッチ回路が前記ハイブリッド回路の前記第２のポートに切り替えた第２接続状態において前記第３及び第４モードが切り替えられる
ことを特徴とする請求項３、５又は６記載のダイバーシティアンテナ回路。
【請求項８】
前記第１乃至第４アンテナの偏波特性が全て同一であることを特徴とする請求項１乃至７のいずれか１つ記載のダイバーシティアンテナ回路。
【請求項９】
前記第１及び第３アンテナが第１の偏波特性を有しており、前記第２及び第４アンテナが第２の偏波特性を有していることを特徴とする請求項１、２、４又は６のいずれか１つ記載のダイバーシティアンテナ回路。
【請求項１０】
前記第１アンテナと前記第３アンテナが前記共振周波数の波長の１／２以上の間隔をあけて配置され、前記第１アンテナと前記第４アンテナが前記共振周波数の波長の３／４以上の間隔をあけて配置され、前記第２アンテナと前記第４アンテナが前記共振周波数の波長の１／２以上の間隔をあけて配置される
ことを特徴とする請求項１記載のダイバーシティアンテナ回路。
【請求項１１】
前記第１スイッチ回路と前記第２スイッチ回路とにより、前記第１及び第３アンテナの対と、前記第２及び第４アンテナの対とを切り替えて使用する
ことを特徴とする請求項１又は１０記載のダイバーシティアンテナ回路。
【請求項１２】
前記第１スイッチ回路と前記第２スイッチ回路とにより、前記第１及び第４アンテナの対と、前記第２及び第３アンテナの対とを切り替えて使用する
ことを特徴とする請求項１、１０又は１１のいずれか１つ記載のダイバーシティアンテナ回路。
【請求項１３】
それぞれ同一周波数帯域に共振周波数を有し且つ互いに前記共振周波数の波長の１／２以上の間隔をあけて配置され且つ第１の偏波特性を有する第１及び第３アンテナと、
それぞれ同一周波数帯域に共振周波数を有し且つ互いに前記共振周波数の波長の１／２以上の間隔をあけて配置され且つ第２の偏波特性を有する第２及び第４アンテナと、
第１入出力ポートを有しており、前記第１アンテナと前記第２アンテナに接続されており、前記第１アンテナと前記第２アンテナのいずれかを前記第１入出力ポートに接続する第１スイッチ回路と、
第２入出力ポートを有しており、前記第３アンテナと前記第４アンテナに接続されており、前記第３アンテナと前記第４アンテナのいずれかを前記第２入出力ポートに接続する第２スイッチ回路と、
第１及び第２のポートと、前記第１スイッチ回路の前記第１入出力ポートに接続される第３のポートと、前記第２スイッチ回路の前記第２入出力ポートに接続される第４のポートとを有し、前記第１のポートから入力された高周波電流を前記第３及び第４のポートに出力すると共に、前記第２のポートから入力された高周波電流を前記第３のポートに出力し且つ当該第３のポートの出力の位相をθ度変化させて前記第４のポートに出力する分割機能と、前記第３及び第４のポートに入力された高周波電流を合成して前記第１のポートに出力すると共に、当該第１のポートの出力の位相をθ度変化させて前記第２のポートに出力する合成機能とを備えたハイブリッド回路と、
前記ハイブリッド回路の前記第１のポートと前記第２のポートを切り替える第３スイッチ回路と、
を有するダイバーシティアンテナ回路。
【請求項１４】
前記第１乃至第４アンテナが同一平面内に配置されていることを特徴とする請求項１３記載のダイバーシティアンテナ回路。
【請求項１５】
前記第１及び第３アンテナを結ぶ線分と前記第２及び第４アンテナを結ぶ線分とが交差することを特徴とする請求項１３又は１４記載のダイバーシティアンテナ回路。
【請求項１６】
前記第１及び第３アンテナを結ぶ線分と前記第２及び第４アンテナを結ぶ線分とが４５度以上の角度をなして交差することを特徴とする請求項１３乃至１５記載のダイバーシティアンテナ回路。
【請求項１７】
前記第１スイッチ回路の前記第１入出力ポートと前記第１アンテナとを接続させるための第１制御信号を前記第１スイッチ回路に出力し且つ前記第２スイッチ回路の前記第２入出力ポートと前記第３アンテナとを接続させるための第２制御信号を前記第２スイッチ回路に出力する第１モードと、前記第１スイッチ回路の前記第１入出力ポートと前記第２アンテナとを接続させるための第１制御信号を前記第１スイッチ回路に出力し且つ前記第２スイッチ回路の前記第２入出力ポートと前記第４アンテナとを接続させるための第２制御信号を前記第２スイッチ回路に出力する第２モードとを切り替える制御回路
をさらに有する請求項１３乃至１６のいずれか１つ記載のダイバーシティアンテナ回路。
【請求項１８】
前記第１スイッチ回路の前記第１入出力ポートと前記第１アンテナとを接続させ且つ前記第２スイッチ回路の前記第２入出力ポートと前記第３アンテナとを接続させる第１モードと、前記第１スイッチ回路の前記第１入出力ポートと前記第２アンテナとを接続させ且つ前記第２スイッチ回路の前記第２入出力ポートと前記第４アンテナとを接続させる第２モードとが切り替えられる
ことを特徴とする請求項１３乃至１６のいずれか１つ記載のダイバーシティアンテナ回路。
【請求項１９】
前記第３スイッチ回路が前記ハイブリッド回路の前記第１のポートに切り替えた第１接続状態において前記第１及び第２モードが切り替えられ、前記第３スイッチ回路が前記ハイブリッド回路の前記第２のポートに切り替えた第２接続状態において前記第１及び第２モードが切り替えられる
ことを特徴とする請求項１７又は１８記載のダイバーシティアンテナ回路。
【請求項２０】
前記第１スイッチ回路と前記第２スイッチ回路とにより、前記第１及び第３アンテナの対と、前記第２及び第４アンテナの対とを切り替えて使用する
ことを特徴とする請求項１３乃至１９のいずれか１つ記載のダイバーシティアンテナ回路。
【請求項２１】
それぞれ同一周波数帯域に共振周波数を有し且つ互いに前記共振周波数の波長の１／４以上の間隔をあけて配置され且つ同一の偏波特性を有する第１乃至第４アンテナと、
第１入出力ポートを有しており、前記第１アンテナと前記第２アンテナに接続されており、第１制御信号により前記第１アンテナと前記第２アンテナのいずれかを前記第１入出力ポートに接続する第１スイッチ回路と、
第２入出力ポートを有しており、前記第３アンテナと前記第４アンテナに接続されており、第２制御信号により前記第３アンテナと前記第４アンテナのいずれかを前記第２入出力ポートに接続する第２スイッチ回路と、
第１及び第２のポートと、前記第１スイッチ回路の前記第１入出力ポートに接続される第３のポートと、前記第２スイッチ回路の前記第２入出力ポートに接続される第４のポートとを有し、前記第１のポートから入力された高周波電流を前記第３及び第４のポートに出力すると共に、前記第２のポートから入力された高周波電流を前記第３のポートに出力し且つ当該第３のポートの出力の位相をθ度変化させて前記第４のポートに出力する分割機能と、前記第３及び第４のポートに入力された高周波電流を合成して前記第１のポートに出力すると共に、当該第１のポートの出力の位相をθ度変化させて前記第２のポートに出力する合成機能とを備えたハイブリッド回路と、
第３制御信号により前記ハイブリッド回路の前記第１のポートと前記第２のポートを切り替える第３スイッチ回路と
を有し、
前記第１制御信号に応じて前記第１スイッチ回路の前記第１入出力ポートと前記第１アンテナとを接続させ且つ前記第２制御信号に応じて前記第２スイッチ回路の前記第２入出力ポートと前記第３アンテナとを接続させる第１モードと、前記第１制御信号に応じて前記第１スイッチ回路の前記第１入出力ポートと前記第２アンテナとを接続させ且つ前記第２制御信号に応じて前記第２スイッチ回路の前記第２入出力ポートと前記第４アンテナとを接続させる第２モードとが、前記第３制御信号のいずれの状態においても切り替えられる
ことを特徴とするダイバーシティアンテナ回路。
【請求項２２】
それぞれ同一周波数帯域に共振周波数を有し且つ互いに前記共振周波数の波長の１／４以上の間隔をあけて配置されている第１乃至第４アンテナと、
第１入出力ポートを有しており、前記第１アンテナと前記第２アンテナに接続されており、前記第１アンテナと前記第２アンテナのいずれかを前記第１入出力ポートに接続する第１スイッチ回路と、
第２入出力ポートを有しており、前記第３アンテナと前記第４アンテナに接続されており、前記第３アンテナと前記第４アンテナのいずれかを前記第２入出力ポートに接続する第２スイッチ回路と、
第１及び第２のポートと、前記第１スイッチ回路の前記第１入出力ポートに接続される第３のポートと、前記第２スイッチ回路の前記第２入出力ポートに接続される第４のポートとを有し、前記第１のポートから入力された高周波電流を前記第３及び第４のポートに出力すると共に、前記第２のポートから入力された高周波電流を前記第３のポートに出力し且つ当該第３のポートの出力の位相をθ度変化させて前記第４のポートに出力する分割機能を備えたハイブリッド回路と、
前記ハイブリッド回路の前記第１のポートと前記第２のポートを切り替える第３スイッチ回路と、
を有するダイバーシティアンテナ回路。
【請求項２３】
それぞれ同一周波数帯域に共振周波数を有し且つ互いに前記共振周波数の波長の１／４以上の間隔をあけて配置されている第１乃至第４アンテナと、
第１入出力ポートを有しており、前記第１アンテナと前記第２アンテナに接続されており、前記第１アンテナと前記第２アンテナのいずれかを前記第１入出力ポートに接続する第１スイッチ回路と、
第２入出力ポートを有しており、前記第３アンテナと前記第４アンテナに接続されており、前記第３アンテナと前記第４アンテナのいずれかを前記第２入出力ポートに接続する第２スイッチ回路と、
第１及び第２のポートと、前記第１スイッチ回路の前記第１入出力ポートに接続される第３のポートと、前記第２スイッチ回路の前記第２入出力ポートに接続される第４のポートとを有し、前記第３及び第４のポートに入力された高周波電流を合成して前記第１のポートに出力すると共に、当該第１のポートの出力の位相をθ度変化させて前記第２のポートに出力する合成機能を備えたハイブリッド回路と、
前記ハイブリッド回路の前記第１のポートと前記第２のポートを切り替える第３スイッチ回路と、
を有するダイバーシティアンテナ回路。
【請求項２４】
それぞれ同一周波数帯域に共振周波数を有し且つ互いに前記共振周波数の波長の１／２以上の間隔をあけて配置され且つ第１の偏波特性を有する第１及び第３アンテナと、
それぞれ同一周波数帯域に共振周波数を有し且つ互いに前記共振周波数の波長の１／２以上の間隔をあけて配置され且つ第２の偏波特性を有する第２及び第４アンテナと、
第１入出力ポートを有しており、前記第１アンテナと前記第２アンテナに接続されており、前記第１アンテナと前記第２アンテナのいずれかを前記第１入出力ポートに接続する第１スイッチ回路と、
第２入出力ポートを有しており、前記第３アンテナと前記第４アンテナに接続されており、前記第３アンテナと前記第４アンテナのいずれかを前記第２入出力ポートに接続する第２スイッチ回路と、
第１及び第２のポートと、前記第１スイッチ回路の前記第１入出力ポートに接続される第３のポートと、前記第２スイッチ回路の前記第２入出力ポートに接続される第４のポートとを有し、前記第１のポートから入力された高周波電流を前記第３及び第４のポートに出力すると共に、前記第２のポートから入力された高周波電流を前記第３のポートに出力し且つ当該第３のポートの出力の位相をθ度変化させて前記第４のポートに出力する分割機能とを備えたハイブリッド回路と、
前記ハイブリッド回路の前記第１のポートと前記第２のポートを切り替える第３スイッチ回路と、
を有するダイバーシティアンテナ回路。
【請求項２５】
それぞれ同一周波数帯域に共振周波数を有し且つ互いに前記共振周波数の波長の１／２以上の間隔をあけて配置され且つ第１の偏波特性を有する第１及び第３アンテナと、
それぞれ同一周波数帯域に共振周波数を有し且つ互いに前記共振周波数の波長の１／２以上の間隔をあけて配置され且つ第２の偏波特性を有する第２及び第４アンテナと、
第１入出力ポートを有しており、前記第１アンテナと前記第２アンテナに接続されており、前記第１アンテナと前記第２アンテナのいずれかを前記第１入出力ポートに接続する第１スイッチ回路と、
第２入出力ポートを有しており、前記第３アンテナと前記第４アンテナに接続されており、前記第３アンテナと前記第４アンテナのいずれかを前記第２入出力ポートに接続する第２スイッチ回路と、
第１及び第２のポートと、前記第１スイッチ回路の前記第１入出力ポートに接続される第３のポートと、前記第２スイッチ回路の前記第２入出力ポートに接続される第４のポートとを有し、前記第３及び第４のポートに入力された高周波電流を合成して前記第１のポートに出力すると共に、当該第１のポートの出力の位相をθ度変化させて前記第２のポートに出力する合成機能を備えたハイブリッド回路と、
前記ハイブリッド回路の前記第１のポートと前記第２のポートを切り替える第３スイッチ回路と、
を有するダイバーシティアンテナ回路。
【発明の詳細な説明】
【０００１】
【発明の属する技術分野】
本発明は、ダイバーシティアンテナ回路に関する。
【０００２】
【従来の技術】
従来、無線通信において電波のマルチパスなどによる通信品質の劣化を低減するためのアンテナとしてダイバーシティアンテナが知られている。ダイバーシティアンテナには、スペースダイバーシティ方式や、偏波ダイバーシティ方式、指向性ダイバーシティ方式など複数種類の方式が存在する。
【０００３】
スペースダイバーシティ方式を用いたダイバーシティアンテナは、同一の共振周波数を有する２つのアンテナとスイッチ回路とからなり、２つのアンテナを共振周波数の１／４波長以上の距離をあけて配置し、スイッチ回路により２つのアンテナを切り換えて用いるものである。
【０００４】
偏波ダイバーシティ方式を用いたダイバーシティアンテナ回路は、同一の共振周波数を有する２つのアンテナとスイッチ回路とからなり、２つのアンテナを共振周波数の１／４波長以上の距離をあけて配置し、スイッチ回路により２つのアンテナを切り換えて用いるものである。ここで、２つのアンテナは、それぞれ異なる偏波面の電波を輻射するアンテナである。例えば、一方のアンテナが垂直偏波に対応する場合は他方のアンテナは水平偏波に対応し、一方のアンテナが右旋円偏波に対応する場合は他方のアンテナは左旋円偏波に対応する。
【０００５】
指向性ダイバーシティ方式は、例えば特開平１０−１１２６７７号公報に開示されている。すなわち、９０°ハイブリッド基盤により生成された位相が互いに９０°異なる電圧を２つのモノポールアンテナ素子に夫々印加し、２つのモノポールアンテナ素子から成るアンテナに所定の指向性を電気的に合成する。次に、９０°ハイブリッド基盤への給電経路をスイッチにより切り換えて、印加電圧の位相を夫々反転させて、アンテナの指向性を反転させ、略全ての方向に指向性を持たせるものである。
【０００６】
【特許文献１】
特開平１０−１１２６７７号
【０００７】
【発明が解決しようとする課題】
近年、コンピュータ同士を接続するＬＡＮ（Ｌｏｃａｌ　Ａｒｅａ　Ｎｅｔｗｏｒｋ）を構築する際、ケーブルに代えて電波を用いてデータ通信を行う無線ＬＡＮを採用する場合が増加している。これは、ケーブルを施設するためには多くの手数が必要となり、コンピュータなどの配置をフレキシブルに変更できないといった問題があるためである。
【０００８】
しかしながら、無線ＬＡＮを使用する環境は主に屋内であり電波のマルチパスは非常に激しく変化することが多い。また、屋内の様々な素材の壁面で反射するため、偏波面についても激しく変化することが予想される。このため１つのアンテナを用いて電波の送受信を行っていると通信を行えなくなる場合が生じ得る。このためダイバーシティアンテナを用いることが考えられるが、上で述べたような単純なダイバーシティアンテナでは、マルチパスや偏波面の変化に十分対処できない場合もある。
【０００９】
従って、本発明の目的は、４本のアンテナを用いることにより、様々な電波環境に対応可能なダイバーシティアンテナ回路を提供することである。
【００１０】
【課題を解決するための手段】
本発明の第１の態様に係るダイバーシティアンテナ回路は、（ａ）それぞれ同一周波数帯域に共振周波数を有し且つ互いに共振周波数の波長の１／４以上の間隔をあけて配置されている第１乃至第４アンテナと、（ｂ）第１入出力ポートを有しており、第１アンテナと第２アンテナに接続されており、第１アンテナと第２アンテナのいずれかを第１入出力ポートに接続する第１スイッチ回路と、（ｃ）第２入出力ポートを有しており、第３アンテナと第４アンテナに接続されており、第３アンテナと第４アンテナのいずれかを第２入出力ポートに接続する第２スイッチ回路と、（ｄ）第１及び第２のポートと、第１スイッチ回路の第１入出力ポートに接続される第３のポートと、第２スイッチ回路の第２入出力ポートに接続される第４のポートとを有し、（ｄ−１）第１のポートから入力された高周波電流を第３及び第４のポートに出力すると共に、第２のポートから入力された高周波電流を第３のポートに出力し且つ当該第３のポートの出力の位相をθ度変化させて第４のポートに出力する分割機能と、（ｄ−２）第３及び第４のポートに入力された高周波電流を合成して第１のポートに出力すると共に、当該第１のポートの出力の位相をθ度変化させて第２のポートに出力する合成機能とを備えたハイブリッド回路と、（ｅ）ハイブリッド回路の第１のポートと第２のポートを切り替える第３スイッチ回路とを有する。
【００１１】
本発明の第１の態様に係るダイバーシティアンテナ回路において、第１スイッチ回路及び第２スイッチ回路により、第１及び第３アンテナの対と、第２及び第４アンテナの対とを切り替えて使用すればスペース・ダイバーシティを実現できる。また、第１及び第３アンテナの対と第２及び第４アンテナの対とで偏波特性を異なるものにすることにより、偏波ダイバーシティも実現することができる。さらに、ハイブリッド回路の第１ポートと第２ポートを第３スイッチ回路で切り替えることにより指向性ダイバーシティも実現することができる。さらに、第１及び第４アンテナの対と、第２及び第３アンテナの対とを切り替えて使用することで、ハイブリッド回路による指向性ダイバーシティとは異なる指向性ダイバーシティを実現することもできる。なお、送信時にはハイブリッド回路の分割機能を用い、受信時にはハイブリッド回路の合成機能を用いる。
【００１２】
また、本発明の第１の態様において、第１スイッチ回路の第１入出力ポートと第１アンテナとを接続させるための第１制御信号を第１スイッチ回路に出力し且つ第２スイッチ回路の第２入出力ポートと第３アンテナとを接続させるための第２制御信号を第２スイッチ回路に出力する第１モードと、第１スイッチ回路の第１入出力ポートと第２アンテナとを接続させるための第１制御信号を第１スイッチ回路に出力し且つ第２スイッチ回路の第２入出力ポートと第４アンテナとを接続させるための第２制御信号を第２スイッチ回路に出力する第２モードとを切り替える制御回路をさらに有するような構成であってもよい。
【００１３】
これにより、第１スイッチ回路の第１入出力ポートと第１アンテナとを接続させ且つ第２スイッチ回路の第２入出力ポートと第３アンテナとを接続させる第１モードと、第１スイッチ回路の第１入出力ポートと第２アンテナとを接続させ且つ第２スイッチ回路の第２入出力ポートと第４アンテナとを接続させる第２モードとが切り替えられる。
【００１４】
このように第１モードと第２モードを切り替えることにより、全て同じ偏波特性を有するアンテナを使用する場合にはスペース・ダイバーシティが実現され、第１モードと第２モードで使用されるアンテナの偏波特性が異なる場合には偏波ダイバーシティが実現される。
【００１５】
さらに、本発明の第１の態様において、第１スイッチ回路の第１入出力ポートと第１アンテナとを接続させるための第１制御信号を第１スイッチ回路に出力し且つ第２スイッチ回路の第２入出力ポートと第４アンテナとを接続させるための第２制御信号を第２スイッチ回路に出力する第３モードと、第１スイッチ回路の第１入出力ポートと第２アンテナとを接続させるための第１制御信号を第１スイッチ回路に出力し且つ第２スイッチ回路の第２入出力ポートと第３アンテナとを接続させるための第２制御信号を第２スイッチ回路に出力する第４モードとを切り替える制御回路をさらに有するような構成であってもよい。
【００１６】
すなわち、第１スイッチ回路の第１入出力ポートと第１アンテナとを接続させ且つ第２スイッチ回路の第２入出力ポートと第４アンテナとを接続させる第３モードと、第１スイッチ回路の第１入出力ポートと第２アンテナとを接続させ且つ第２スイッチ回路の第２入出力ポートと第３アンテナとを接続させる第４モードとが切り替えられる。
【００１７】
このように第３及び第４モードを切り替えることにより、指向性ダイバーシティを実現することができるようになる。なお、第１乃至第４モードを切り替えるようにしても良い。
【００１８】
また、本発明の第１の態様において、第３スイッチ回路がハイブリッド回路の第１のポートに切り替えた第１接続状態において第１及び第２モードが切り替えられ、第３スイッチ回路がハイブリッド回路の第２のポートに切り替えた第２接続状態において第１及び第２モードが切り替えられるような構成とすることも可能である。ハイブリッド回路に入力する高周波電流を切り替えることにより指向性を切り替えることができ、さらに上で述べた第１モード及び第２モードを併せて切り替えることにより４通りのダイバーシティが可能となる。なお、第３及び第４モードについても同様である。同じ偏波特性のアンテナを用いている場合には最大８（＝４モード×２）とおりのダイバーシティが可能となる。
【００１９】
本発明の第２の態様に係るダイバーシティアンテナ回路は、（ａ）それぞれ同一周波数帯域に共振周波数を有し且つ互いに共振周波数の波長の１／２以上の間隔をあけて配置され且つ第１の偏波特性を有する第１及び第３アンテナと、（ｂ）それぞれ同一周波数帯域に共振周波数を有し且つ互いに共振周波数の波長の１／２以上の間隔をあけて配置され且つ第２の偏波特性を有する第２及び第４アンテナと、（ｃ）第１入出力ポートを有しており、第１アンテナと第２アンテナに接続されており、第１アンテナと第２アンテナのいずれかを第１入出力ポートに接続する第１スイッチ回路と、（ｄ）第２入出力ポートを有しており、第３アンテナと第４アンテナに接続されており、第３アンテナと第４アンテナのいずれかを第２入出力ポートに接続する第２スイッチ回路と、（ｅ）第１及び第２のポートと、第１スイッチ回路の第１入出力ポートに接続される第３のポートと、第２スイッチ回路の第２入出力ポートに接続される第４のポートとを有し、（ｅ−１）第１のポートから入力された高周波電流を第３及び第４のポートに出力すると共に、第２のポートから入力された高周波電流を第３のポートに出力し且つ当該第３のポートの出力の位相をθ度変化させて第４のポートに出力する分割機能と、（ｅ−２）第３及び第４のポートに入力された高周波電流を合成して第１のポートに出力すると共に、当該第１のポートの出力の位相をθ度変化させて第２のポートに出力する合成機能とを備えたハイブリッド回路と、（ｆ）ハイブリッド回路の第１のポートと第２のポートを切り替える第３スイッチ回路とを有する。
【００２０】
本発明の第２の態様に係るダイバーシティアンテナ回路において、第１スイッチ回路及び第２スイッチ回路により、第１及び第３アンテナの対と、第２及び第４アンテナの対とを切り替えて使用すれば、偏波ダイバーシティを実現できる。また、ハイブリッド回路の第１のポートと第２のポートを第３スイッチ回路で切り替えることにより指向性ダイバーシティも実現することができる。なお、送信時にはハイブリッド回路の分割機能を用い、受信時にはハイブリッド回路の合成機能を用いる。
【００２１】
本発明の第２の態様において、第１スイッチ回路の第１入出力ポートと第１アンテナとを接続させるための第１制御信号を第１スイッチ回路に出力し且つ第２スイッチ回路の第２入出力ポートと第３アンテナとを接続させるための第２制御信号を第２スイッチ回路に出力する第１モードと、第１スイッチ回路の第１入出力ポートと第２アンテナとを接続させるための第１制御信号を第１スイッチ回路に出力し且つ第２スイッチ回路の第２入出力ポートと第４アンテナとを接続させるための第２制御信号を第２スイッチ回路に出力する第２モードとを切り替える制御回路をさらに有するような構成であってもよい。
【００２２】
すなわち、第１スイッチ回路の第１入出力ポートと第１アンテナとを接続させ且つ第２スイッチ回路の第２入出力ポートと第３アンテナとを接続させる第１モードと、第１スイッチ回路の第１入出力ポートと第２アンテナとを接続させ且つ第２スイッチ回路の第２入出力ポートと第４アンテナとを接続させる第２モードとが切り替えられる。
【００２３】
また、本発明の第２の態様において、第３スイッチ回路がハイブリッド回路の第１のポートに切り替えた第１接続状態において第１及び第２モードが切り替えられ、第３スイッチ回路がハイブリッド回路の第２のポートに切り替えた第２接続状態において第１及び第２モードが切り替えられるような構成とすることも可能である。ハイブリッド回路の第１のポートと第２のポートを第３スイッチ回路にて切り替えることにより指向性を切り替えることができ、さらに上で述べた第１モード及び第２モードを併せて切り替えることにより４通りのダイバーシティが可能となる。
【００２４】
【発明の実施の形態】
［実施の形態１］
図１乃至図１０を用いて本発明の第１の実施の形態を説明する。図１に本実施の形態に係るダイバーシティアンテナ回路１０の回路構成を示す。本実施の形態に係るダイバーシティアンテナ回路１０は、第１アンテナ１、第２アンテナ２、第３アンテナ３、第４アンテナ４、第１スイッチ回路５、第２スイッチ回路６、１８０°ハイブリッド回路７、第３スイッチ回路８、及び制御回路９を含む。
【００２５】
第１乃至第４アンテナは、同一周波数帯域内のほぼ同じ周波数に共振するように設定されている。また、第１乃至第４アンテナのいずれも、１つだけでは水平面内無指向性のアンテナである。偏波特性については以下で説明する。
【００２６】
第１スイッチ回路５は、第１入出力ポート５ａ、第２入出力ポート５ｂ、第３入出力ポート５ｃ、及び制御端子５ｄを有している。第２スイッチ回路６は、第１入出力ポート６ａ、第２入出力ポート６ｂ、第３入出力ポート６ｃ、及び制御端子６ｄを有している。
【００２７】
第１アンテナ１の給電点１ａは第１スイッチ回路５の第２入出力ポート５ｂに接続されている。第２アンテナ２の給電点２ａは第１スイッチ回路５の第３入出力ポート５ｃに接続されている。第３アンテナ３の給電点３ａは第２スイッチ回路６の第２入出力ポート６ｂに接続されている。第４アンテナ４の給電点４ａは第２スイッチ回路６の第３入出力ポート６ｃに接続されている。
【００２８】
１８０°ハイブリッド回路７は、第１入出力ポート７ａ、第２入出力ポート７ｂ、第３入出力ポート７ｃ、及び第４入出力ポート７ｄを有している。１８０°ハイブリッド回路７は、第１入出力ポート７ａから入力された高周波電流を第３入出力ポート７ｃ及び第４入出力ポート７ｄに出力すると共に、第２入出力ポート７ｂから入力された高周波電流を第３入出力ポート７ｃに出力し且つ１８０度位相を変えて第４入出力ポート７ｄに出力する分割機能を有する。また、第３入出力ポート７ｃ及び第４入出力ポート７ｄに入力される高周波電流を合成して第１入出力ポート７ａに出力すると共に、第３入出力ポート７ｃに入力される高周波電流に対して第４入出力ポート７ｄに入力される高周波電流をこの高周波電流の位相を１８０度変えて合成して第２入出力ポート７ｂに出力する合成機能をも有する。
【００２９】
１８０°ハイブリッド回路７の第３入出力ポート７ｃは第１スイッチ回路５の第１入出力ポート５ａに接続されている。また１８０°ハイブリッド回路７の第４入出力ポート７ｄは第２スイッチ回路６の第１入出力ポート６ａに接続されている。
【００３０】
第３スイッチ回路８は、第１入出力ポート８ａ、第２入出力ポート８ｂ、第３入出力ポート８ｃ、及び制御端子８ｄとを有している。第３スイッチ回路８の第１入出力ポート８ａは、１８０°ハイブリッド回路７の第１入出力ポート７ａに接続されている。第３スイッチ回路８の第２入出力ポート８ｂは、１８０°ハイブリッド回路７の第２入出力ポート７ｂに接続されている。
【００３１】
制御回路９は、第１制御信号を出力するための第１制御端子９ａ、第２制御信号を出力するための第２制御端子９ｂ、及び第３制御信号を出力するための第３制御端子９ｃを少なくとも有する。制御回路９の第１制御端子９ａは、第１スイッチ回路５の制御端子５ｄに接続されている。制御回路９の第２制御端子９ｂは、第２スイッチ回路６の制御端子６ｄに接続されている。制御端子９の第３制御端子９ｃは、第３スイッチ回路８の制御端子８ｄに接続されている。
【００３２】
第１スイッチ回路５は、制御回路９の第１制御端子９ａから出力される第１制御信号により、第１入出力ポート５ａを第２入出力ポート５ｂ又は第３入出力ポート５ｃのいずれかに接続させる。第２スイッチ回路６は、制御回路９の第２制御端子９ｂから出力される第２制御信号により、第１入出力ポート６ａを第２入出力ポート６ｂ又は第３入出力ポート６ｃのいずれかに接続させる。第３スイッチ回路８は、制御回路９の第３制御端子９ｃから出力される第３制御信号により、第３入出力ポート８ｃを第１入出力ポート８ａ又は第２入出力ポート８ｂのいずれかに接続させる。すなわち、第１制御信号、第２制御信号及び第３制御信号は、１ビットのディジタル信号である。
【００３３】
なお、第３スイッチ回路８の第３入出力ポート８ｃについても制御回路９に接続されており、第３スイッチ回路８の第３入出力ポート８ｃからの出力信号に応じて第１乃至第３制御信号を以下に詳細に説明する所定の態様に変更するような構成の場合もある。
【００３４】
次に図２を用いて本実施の形態における第１乃至第４アンテナの物理的な配置例を示す。本実施の形態においては、第１乃至第４アンテナを１直線上に配置する。その際、それぞれの間隔を共振周波数の１／４波長以上とする。より具体的には、第１アンテナ１と第２アンテナ２の間隔Ｌ１は１／４波長、第２アンテナ２と第３アンテナ３の間隔Ｌ２は１／４波長、第３アンテナ３と第４アンテナ４の間隔Ｌ３は１／４波長である。また、第１アンテナ１と第３アンテナ３の間隔Ｌ４は１／２波長、第２アンテナ２と第４アンテナ４の間隔Ｌ５は１／２波長である。さらに、第１アンテナ１と第４アンテナ４の間隔Ｌ６は３／４波長である。
【００３５】
次に図３を用いて本実施の形態における第１乃至第４アンテナの偏波特性の組み合わせについて説明する。本実施の形態では、第１乃至第４アンテナの偏波特性は同じものとする。図３において、先頭行はアンテナの番号を示しており、１は第１アンテナ１、２は第２アンテナ２、３は第３アンテナ３、４は第４アンテナ４を示している。第２行目以下の各行は、第１乃至第４アンテナの偏波特性を示しており、第２行目に示すように第１乃至第４アンテナを全て水平偏波に対応するアンテナとする態様と、第３行目に示すように第１乃至第４アンテナを全て垂直偏波に対応するアンテナとする態様と、第４行目に示すように第１乃至第４アンテナを全て右旋円偏波に対応するアンテナとする態様と、第５行目に示すように第１乃至第４アンテナを全て左旋円偏波に対応するアンテナとする態様とが存在する。但し、水平偏波、垂直偏波、右旋円偏波、左旋円偏波のいずれの場合も、対応する偏波面が異なるだけで各アンテナの指向性は変わりない。
【００３６】
次に図４乃至図１０を用いて本実施の形態における図１に示したダイバーシティアンテナ回路１０の動作及び放射特性を説明する。図４には、本実施の形態におけるＡ乃至Ｈの８つのモードのそれぞれについて、第１スイッチ回路５において制御回路９から出力される第１制御信号に基づき第１入出力ポート５ａと接続される入出力ポートの参照番号、第２スイッチ回路６において制御回路９から出力される第２制御信号に基づき第１入出力ポート６ａと接続される入出力ポートの参照番号、第３スイッチ回路８において制御回路９から出力される第３制御信号に基づき第３入出力ポート８ｃと接続される入出力ポートの参照番号、第１スイッチ回路５の上記スイッチングにより選択される第１のアンテナの参照番号、第２スイッチ回路６の上記スイッチングにより選択される第２のアンテナの参照番号、選択された２つのアンテナの間隔、及び第３スイッチ回路８の上記スイッチングにより選択される１８０°ハイブリッド回路７から出力される高周波信号の位相角度差が示されている。
【００３７】
すなわちモードＡの場合には、第１スイッチ回路５は第１制御信号に基づき第１入出力ポート５ａと第２入出力ポート５ｂとを接続するようにスイッチングを行い、第２スイッチ回路６は第２制御信号に基づき第１入出力ポート６ａと第２入出力ポート６ｂとを接続するようにスイッチングを行う。第３スイッチ回路８は第３制御信号に基づき第３入出力ポート８ｃと第１入出力ポート８ａとを接続するようにスイッチングを行う。その結果、選択されたアンテナは、第１アンテナ１と第３アンテナ３であり、その間隔は１／２波長（共振周波数の波長をλで表す）である。また、第３スイッチ回路８のスイッチングにより第１アンテナ１と第３アンテナ３には同位相の高周波信号が出力される。
【００３８】
モードＡにおける放射特性は図５に示されるとおりである。図５は水平面の放射特性を示しており、第１アンテナ１及び第３アンテナ３を上から見た場合の指向性が示されている。波源間隔はアンテナ間の距離である。モードＡにおいては、第１アンテナ１と第３アンテナ３を結ぶ線分とは垂直の方向、すなわち０°方向と１８０°方向の２つの方向において指向性が最大となっている。なお、第１アンテナ１及び第３アンテナ３を結ぶ線分を含む平面で切断すれば必ず図５に示すような放射特性を有しているので、例えば９０°又は−９０°の方向から見れば、円になっている。すなわち、３次元的には第１アンテナ１及び第３アンテナ３を結ぶ線分を回転軸とする回転体の形をした指向性を有している。
【００３９】
モードＢの場合には、第１スイッチ回路５は第１制御信号に基づき第１入出力ポート５ａと第２入出力ポート５ｂとを接続するようにスイッチングを行い、第２スイッチ回路６は第２制御信号に基づき第１入出力ポート６ａと第２入出力ポート６ｂとを接続するようにスイッチングを行う。第３スイッチ回路８は第３制御信号に基づき第３入出力ポート８ｃと第２入出力ポート８ｂとを接続するようにスイッチングを行う。その結果、選択されたアンテナは、第１アンテナ１と第３アンテナ３であり、その間隔は１／２波長（λは波長を表す）である。また、第３スイッチ回路８のスイッチングにより第１アンテナ１と第３アンテナ３には１８０°位相差のある高周波信号が出力される。
【００４０】
モードＢにおける放射特性は図６に示されるとおりである。図６は水平面の放射特性を示している。モードＢにおいては、第１アンテナ１及び第３アンテナ３を結ぶ線分の方向、すなわち９０°方向と−９０°方向の２つの方向において指向性が最大となっている。図５と比較すると、図５の放射特性を９０°回転させた形状を示していることが分かる。すなわち、第３スイッチ回路８をスイッチングして第１アンテナ１と第３アンテナ３の位相を１８０°切り替えることにより、指向性ダイバーシティが実現されることが分かる。なお、３次元的にも図５の回転体を９０°回転させた形を有している。
【００４１】
モードＣの場合には、第１スイッチ回路５は第１制御信号に基づき第１入出力ポート５ａと第３入出力ポート５ｃとを接続するようにスイッチングを行い、第２スイッチ回路６は第２制御信号に基づき第１入出力ポート６ａと第３入出力ポート６ｃとを接続するようにスイッチングを行う。第３スイッチ回路８は第３制御信号に基づき第３入出力ポート８ｃと第１入出力ポート８ａとを接続するようにスイッチングを行う。その結果、選択されたアンテナは、第２アンテナ２と第４アンテナ４であり、その間隔は１／２波長（λは波長を表す）である。また、第３スイッチ回路８のスイッチングにより第２アンテナ２と第４アンテナ４には位相差のない高周波信号が出力される。
【００４２】
モードＣにおける放射特性は図５に示されるとおりである。すなわちモードＡと同じである。しかし、図２を参照すれば分かるように、第１アンテナ１と第３アンテナ３の対と第２アンテナ２と第４アンテナ４の対は、１／４波長分だけ位置がずれている。すなわち、２つのモードではマルチパスに対応するのに理想とされる１／４波長分だけ位置が異なるため、モードＡとモードＣを切り替えることによりスペース・ダイバーシティが実現されることになる。
【００４３】
モードＤの場合には、第１スイッチ回路５は第１制御信号に基づき第１入出力ポート５ａと第３入出力ポート５ｃとを接続するようにスイッチングを行い、第２スイッチ回路６は第２制御信号に基づき第１入出力ポート６ａと第３入出力ポート６ｃとを接続するようにスイッチングを行う。第３スイッチ回路８は第３制御信号に基づき第３入出力ポート８ｃと第２入出力ポート８ｂとを接続するようにスイッチングを行う。その結果、選択されたアンテナは、第２アンテナ２と第４アンテナ４であり、その間隔は１／２波長（λは波長を表す）である。また、第３スイッチ回路８のスイッチングにより第２アンテナ２と第４アンテナ４には位相差１８０°の高周波信号が出力される。
【００４４】
モードＤにおける放射特性は図６に示されるとおりである。すなわちモードＢと同じである。しかし、図２を参照すれば分かるように、第１アンテナ１と第３アンテナ３の対と第２アンテナ２と第４アンテナ４の対は、１／４波長分だけ位置がずれている。すなわち、２つのモードではマルチパスに対応するのに理想とされる１／４波長分だけ位置が異なるため、モードＢとモードＤとを切り替えることによりスペース・ダイバーシティが実現されることになる。また、図５と比較すると、図６は図５の放射特性を９０回転させた形状を示していることが分かる。すなわち、第３スイッチ回路８をスイッチングして第２アンテナ２と第４アンテナ４の位相を１８０°切り替えることにより、指向性ダイバーシティが実現される。
【００４５】
モードＥの場合には、第１スイッチ回路５は第１制御信号に基づき第１入出力ポート５ａと第２入出力ポート５ｂとを接続するようにスイッチングを行い、第２スイッチ回路６は第２制御信号に基づき第１入出力ポート６ａと第３入出力ポート６ｃとを接続するようにスイッチングを行う。第３スイッチ回路８は第３制御信号に基づき第３入出力ポート８ｃと第１入出力ポート８ａとを接続するようにスイッチングを行う。その結果、選択されたアンテナは、第１アンテナ１と第４アンテナ４であり、その間隔は３／４波長（λは波長を表す）である。また、第３スイッチ回路８のスイッチングにより第１アンテナ１と第４アンテナ４には位相差のない高周波信号が出力される。
【００４６】
モードＥにおける放射特性は図７に示されるとおりである。図７は水平面の放射特性を示しており、第１アンテナ１及び第４アンテナ４を上から見た場合の指向性が示されている。波源間隔はアンテナ間の距離である。モードＥにおいては、第１アンテナ１と第４アンテナ４を結ぶ線分とは垂直の方向、すなわち０°方向と１８０°方向の２つの方向において指向性が最大となっている。但し、図５とは異なり、第１アンテナ１と第４アンテナ４を結ぶ線分の方向、すなわち９０°方向と−９０°方向の２つの方向にも比較的強い指向性を示している。なお、第１アンテナ１及び第４アンテナ４を結ぶ線分を含む平面で切断すれば必ず図７に示すような放射特性を有しているので、例えば９０°又は−９０°の方向から見れば、円になっている。すなわち、３次元的には第１アンテナ１及び第４アンテナ４を結ぶ線分を回転軸とする回転体の形をした指向性を有している。他のモードと切り替えることにより、指向性が異なるため多様な電波環境に対応できるようになる。
【００４７】
モードＦの場合には、第１スイッチ回路５は第１制御信号に基づき第１入出力ポート５ａと第２入出力ポート５ｂとを接続するようにスイッチングを行い、第２スイッチ回路６は第２制御信号に基づき第１入出力ポート６ａと第３入出力ポート６ｃとを接続するようにスイッチングを行う。第３スイッチ回路８は第３制御信号に基づき第３入出力ポート８ｃと第２入出力ポート８ｂとを接続するようにスイッチングを行う。その結果、選択されたアンテナは、第１アンテナ１と第４アンテナ４であり、その間隔は３／４波長（λは波長を表す）である。また、第３スイッチ回路８のスイッチングにより第１アンテナ１と第４アンテナ４には１８０°の位相差がある高周波信号が出力される。
【００４８】
モードＦにおける放射特性は図８に示されるとおりである。図８は水平面の放射特性を示している。モードＦにおいては、第１アンテナ１及び第４アンテナ４を結ぶ線分の方向、すなわち９０°方向と−９０°方向の２つの方向において指向性が最大となっている。また、第１アンテナ１及び第４アンテナ４を結ぶ線分の垂直方向、すなわち０°方向と１８０°方向の２つの方向においても比較的強い指向性が表れている。図７と比較すると、図７の放射特性を９０°回転させた形状を示していることが分かる。すなわち、第３スイッチ回路８をスイッチングして第１アンテナ１と第４アンテナ４の位相を１８０°切り替えることにより、指向性ダイバーシティが実現されることが分かる。なお、３次元的にも図７の回転体を９０°回転させた形を有している。また、他のモードと切り替えることにより、指向性が異なるため多様な電波環境に対応できるようになる。
【００４９】
モードＧの場合には、第１スイッチ回路５は第１制御信号に基づき第１入出力ポート５ａと第３入出力ポート５ｃとを接続するようにスイッチングを行い、第２スイッチ回路６は第２制御信号に基づき第１入出力ポート６ａと第２入出力ポート６ｂとを接続するようにスイッチングを行う。第３スイッチ回路８は第３制御信号に基づき第３入出力ポート８ｃと第１入出力ポート８ａとを接続するようにスイッチングを行う。その結果、選択されたアンテナは、第２アンテナ２と第３アンテナ３であり、その間隔は１／４波長（λは波長を表す）である。また、第３スイッチ回路８のスイッチングにより第２アンテナ２と第３アンテナ３には位相差のない高周波信号が出力される。
【００５０】
モードＧにおける放射特性は図９に示されるとおりである。図９は水平面の放射特性を示しており、第２アンテナ２及び第３アンテナ３を上から見た場合の指向性が示されている。波源間隔はアンテナ間の距離である。モードＧにおいては、ほぼ無指向性の放射特性を示しているが、第２アンテナ２と第３アンテナ３を結ぶ線分とは垂直の方向、すなわち０°方向と１８０°方向の２つの方向において指向性が最大となっている。なお、第２アンテナ２及び第３アンテナ３を結ぶ線分を含む平面で切断すれば必ず図９に示すような放射特性を有しているので、例えば９０°又は−９０°の方向から見れば、円になっている。すなわち、３次元的には第２アンテナ２及び第３アンテナ３を結ぶ線分を回転軸とする回転体の形をした指向性を有している。他のモードと切り替えることにより、指向性が異なるため多様な電波環境に対応できるようになる。
【００５１】
モードＨの場合には、第１スイッチ回路５は第１制御信号に基づき第１入出力ポート５ａと第３入出力ポート５ｃとを接続するようにスイッチングを行い、第２スイッチ回路６は第２制御信号に基づき第１入出力ポート６ａと第２入出力ポート６ｂとを接続するようにスイッチングを行う。第３スイッチ回路８は第３制御信号に基づき第３入出力ポート８ｃと第２入出力ポート８ｂとを接続するようにスイッチングを行う。その結果、選択されたアンテナは、第２アンテナ２と第３アンテナ３であり、その間隔は１／４波長（λは波長を表す）である。また、第３スイッチ回路８のスイッチングにより第２アンテナ２と第３アンテナ３には１８０°の位相差のある高周波信号が出力される。
【００５２】
モードＨにおける放射特性は図１０に示されるとおりである。図１０は水平面の放射特性を示している。モードＨにおいては、ほぼ無指向性の放射特性を示しているが、第２アンテナ２と第３アンテナ３を結ぶ線分の方向、すなわち９０°方向と−９０°方向の２つの方向において指向性が最大となっている。図９と比較すると、図９の放射特性を９０°回転させた形状を示していることが分かる。すなわち、第３スイッチ回路８をスイッチングして第２アンテナ２と第３アンテナ３の位相を１８０°切り替えることにより、指向性ダイバーシティが実現されることが分かる。なお、３次元的にも図９の回転体を９０°回転させた形を有している。他のモードと切り替えることにより、指向性が異なるため多様な電波環境に対応できるようになる。
【００５３】
なお、図４を用いて説明したように第１乃至第４アンテナには４つの偏波特性の組み合わせが可能であり、モードＡ乃至Ｈの８つのモードは各組み合わせにて実施可能である。
【００５４】
このように本実施の形態では様々な電波環境に対応できるようになっており、移動体通信に有効な技術である。
【００５５】
［実施の形態２］
本発明の第２の実施の形態における回路構成は第１の実施の形態と同じである。すなわち図１に示すような回路構成を採用する。また、第１乃至第４アンテナの配置についても図２に示すような配置を採用する。但し、各アンテナの偏波特性については第１の実施の形態におけるものとは異なり、図１１に示すような組み合わせを採用するものとする。
【００５６】
図１１に示すように、第１アンテナ１及び第３アンテナ３が第１の偏波特性を有し、第２アンテナ２及び第４アンテナ４が第２の偏波特性を有するものとする。なお、図１１において先頭行はアンテナの番号を示しており、１は第１アンテナ１、２は第２アンテナ２、３は第３アンテナ３、４は第４アンテナ４を示している。具体的には、第一の組み合わせとして、図１１のテーブルにおける第２行目に示されているように、第１アンテナ１及び第３アンテナ３を水平偏波に対応するアンテナとし、第２アンテナ２及び第４アンテナ４を垂直偏波に対応するアンテナとする。第二の組み合わせとして、第３行目に示されているように、第１アンテナ１及び第３アンテナ３を垂直偏波に対応するアンテナとし、第２アンテナ２及び第４アンテナ４を水平偏波に対応するアンテナとする。第三の組み合わせとして、第４行目に示されているように、第１アンテナ１及び第３アンテナ３を右旋円偏波に対応するアンテナとし、第２アンテナ２及び第４アンテナ４を左旋円偏波に対応するアンテナとする。第四の組み合わせとして、第５行目に示されているように、第１アンテナ１及び第３アンテナ３を左旋円偏波に対応するアンテナとし、第２アンテナ２及び第４アンテナ４を右旋円偏波に対応するアンテナとする。但し、水平偏波、垂直偏波、右旋円偏波、左旋円偏波のいずれの場合も、対応する偏波面が異なるだけで各アンテナの指向性は変わりない。
【００５７】
このような４つの組み合わせ毎に、制御回路９による第１乃至第３制御信号により図１２に示すようなモードが設定される。図１２では、本実施の形態におけるＩ乃至Ｌの４つのモードのそれぞれについて、第１スイッチ回路５において制御回路９から出力される第１制御信号に基づき第１入出力ポート５ａと接続される入出力ポートの参照番号、第２スイッチ回路６において制御回路９から出力される第２制御信号に基づき第１入出力ポート６ａと接続される入出力ポートの参照番号、第３スイッチ回路８において制御回路９から出力される第３制御信号に基づき第３入出力ポート８ｃと接続される入出力ポートの参照番号、第１スイッチ回路５の上記スイッチングにより選択される第１のアンテナの参照番号、第２スイッチ回路６の上記スイッチングにより選択される第２のアンテナの参照番号、選択された２つのアンテナの間隔、及び第３スイッチ回路８の上記スイッチングにより選択される１８０°ハイブリッド回路７から出力される高周波信号の位相角度差が示されている。
【００５８】
モードＩの場合には、第１スイッチ回路５は第１制御信号に基づき第１入出力ポート５ａと第２入出力ポート５ｂとを接続するようにスイッチングを行い、第２スイッチ回路６は第２制御信号に基づき第１入出力ポート６ａと第２入出力ポート６ｂとを接続するようにスイッチングを行う。第３スイッチ回路８は第３制御信号に基づき第３入出力ポート８ｃと第１入出力ポート８ａとを接続するようにスイッチングを行う。その結果、選択されたアンテナは、第１アンテナ１と第３アンテナ３であり、その間隔は１／２波長（λは波長を表す）である。また、第３スイッチ回路８のスイッチングにより第１アンテナ１と第３アンテナ３には同位相の高周波信号が出力される。
【００５９】
モードＩにおける放射特性は図５に示されるとおりである。但し、図１１に示される第１の組み合わせであれば水平偏波、第２の組み合わせであれば垂直偏波、第３の組み合わせであれば右旋円偏波、第４の組み合わせであれば左旋円偏波についての放射特性である。
【００６０】
モードＪの場合には、第１スイッチ回路５は第１制御信号に基づき第１入出力ポート５ａと第２入出力ポート５ｂとを接続するようにスイッチングを行い、第２スイッチ回路６は第２制御信号に基づき第１入出力ポート６ａと第２入出力ポート６ｂとを接続するようにスイッチングを行う。第３スイッチ回路８は第３制御信号に基づき第３入出力ポート８ｃと第２入出力ポート８ｂとを接続するようにスイッチングを行う。その結果、選択されたアンテナは、第１アンテナ１と第３アンテナ３であり、その間隔は１／２波長（λは波長を表す）である。また、第３スイッチ回路８のスイッチングにより第１アンテナ１と第３アンテナ３には１８０°位相差のある高周波信号が出力される。
【００６１】
モードＪにおける放射特性は図６に示されるとおりである。すなわち、第３スイッチ回路８をスイッチングして第１アンテナ１と第３アンテナ３の位相を１８０°切り替えることにより、モードＩとモードＪを切り替えることになり、指向性ダイバーシティが実現されることが分かる。但し、図１１に示される第１の組み合わせであれば水平偏波、第２の組み合わせであれば垂直偏波、第３の組み合わせであれば右旋円偏波、第４の組み合わせであれば左旋円偏波についての放射特性である。
【００６２】
モードＫの場合には、第１スイッチ回路５は第１制御信号に基づき第１入出力ポート５ａと第３入出力ポート５ｃとを接続するようにスイッチングを行い、第２スイッチ回路６は第２制御信号に基づき第１入出力ポート６ａと第３入出力ポート６ｃとを接続するようにスイッチングを行う。第３スイッチ回路８は第３制御信号に基づき第３入出力ポート８ｃと第１入出力ポート８ａとを接続するようにスイッチングを行う。その結果、選択されたアンテナは、第２アンテナ２と第４アンテナ４であり、その間隔は１／２波長（λは波長を表す）である。また、第３スイッチ回路８のスイッチングにより第２アンテナ２と第４アンテナ４には位相差のない高周波信号が出力される。
【００６３】
モードＫにおける放射特性は図５に示されるとおりである。放射特性の形はモードＩと同じであるが、偏波特性は異なる。すなわち、図１１に示される第１の組み合わせであれば垂直偏波、第２の組み合わせであれば水平偏波、第３の組み合わせであれば左旋円偏波、第４の組み合わせであれば右旋円偏波についての放射特性である。よって、モードＩとモードＫを切り替えることにより偏波ダイバーシティが実現されることになる。
【００６４】
モードＬの場合には、第１スイッチ回路５は第１制御信号に基づき第１入出力ポート５ａと第３入出力ポート５ｃとを接続するようにスイッチングを行い、第２スイッチ回路６は第２制御信号に基づき第１入出力ポート６ａと第３入出力ポート６ｃとを接続するようにスイッチングを行う。第３スイッチ回路８は第３制御信号に基づき第３入出力ポート８ｃと第２入出力ポート８ｂとを接続するようにスイッチングを行う。その結果、選択されたアンテナは、第２アンテナ２と第４アンテナ４であり、その間隔は１／２波長（λは波長を表す）である。また、第３スイッチ回路８のスイッチングにより第２アンテナ２と第４アンテナ４には位相差１８０°の高周波信号が出力される。
【００６５】
モードＬにおける放射特性は図６に示されるとおりである。放射特性の形はモードＪと同じであるが、偏波特性は異なる。すなわち、図１１に示される第１の組み合わせであれば垂直偏波、第２の組み合わせであれば水平偏波、第３の組み合わせであれば左旋円偏波、第４の組み合わせであれば右旋円偏波についての放射特性である。よって、モードＪとモードＬを切り替えることにより偏波ダイバーシティが実現されることになる。また、第３スイッチ回路８をスイッチングして第２アンテナ２と第４アンテナ４の位相を１８０°切り替えることにより、モードＫとモードＬを切り替えることになり、指向性ダイバーシティが実現される。
【００６６】
このように、偏波ダイバーシティと指向性ダイバーシティを切り替えることができるため、多様な電波環境に対応でき、安定した無線通信が可能となる。
【００６７】
［実施の形態３］
本発明の第３の実施の形態における回路構成は第１の実施の形態と同じである。すなわち図１に示すような回路構成を採用する。また、第１乃至第４アンテナの配置については、図１３（ａ）、図１３（ｂ）及び図１３（ｃ）に示す態様を採用する。
【００６８】
すなわち、図１３（ａ）においては、ＸＹ平面内に第１アンテナ１、第２アンテナ２、第３アンテナ３及び第４アンテナ４を配置する。そして、第１アンテナ１と第３アンテナ３との間の距離Ｌ１１を共振周波数の１／２波長とする。同様に第２アンテナ２と第４アンテナ４との間の距離Ｌ１２を共振周波数の１／２波長とする。また、第１アンテナ１と第３アンテナ３を結ぶ線分はＸ軸と平行であり、第２アンテナ２と第４アンテナ４を結ぶ線分はＹ軸と平行であり、９０°の角度で交差する。
【００６９】
また、図１３（ｂ）においては、ＸＹ平面内に第１アンテナ１、第２アンテナ２、第３アンテナ３及び第４アンテナ４を配置する。そして、第１アンテナ１と第３アンテナ３との間の距離Ｌ２１は共振周波数の１／２波長とする。同様に第２アンテナ２と第４アンテナ４との間の距離Ｌ２２を共振周波数の１／２波長とする。また、第１アンテナ１と第３アンテナを結ぶ線分と、第２アンテナ２と第４アンテナ４を結ぶ線分とは９０°の角度で交差する。但し、それぞれＸ軸及びＹ軸とは平行になっておらず、Ｘ軸及びＹ軸から４５°傾いている。なお、第１アンテナ１と第３アンテナを結ぶ線分と平行な方向をＸＹ１とし、第２アンテナ２と第４アンテナを結ぶ線分と平行な方向をＸＹ２とする。
【００７０】
図１３（ｃ）においては、ＸＹ平面内に第１アンテナ１、第２アンテナ２、第３アンテナ３及び第４アンテナ４を配置する。そして、第１アンテナ１と第３アンテナ３との間の距離Ｌ３１を共振周波数の１／２波長とする。同様に第２アンテナ２と第４アンテナ４との間の距離Ｌ３２を共振周波数の１／２波長とする。なお、第２アンテナ２と第４アンテナ４を結ぶ線分はＹ軸と平行であるが、第１アンテナ１と第３アンテナ３を結ぶ線分はＸ軸及びＹ軸から４５°傾いている。第１アンテナ１と第３アンテナ３を結ぶ線分はＸＹ２と平行であるとする。
【００７１】
このようなアンテナ配置における第１乃至第４アンテナの偏波特性については、図１１に示すとおりである。すなわち　第１アンテナ１及び第３アンテナ３が第１の偏波特性を有し、第２アンテナ２及び第４アンテナ４が第２の偏波特性を有するものとする。なお、図１１において先頭行はアンテナの番号を示しており、１は第１アンテナ１、２は第２アンテナ２、３は第３アンテナ３、４は第４アンテナ４を示している。具体的には、第一の組み合わせとして、図１１のテーブルにおける第２行目に示されているように、第１アンテナ１及び第３アンテナ３を水平偏波に対応するアンテナとし、第２アンテナ２及び第４アンテナ４を垂直偏波に対応するアンテナとする。第二の組み合わせとして、第３行目に示されているように、第１アンテナ１及び第３アンテナ３を垂直偏波に対応するアンテナとし、第２アンテナ２及び第４アンテナ４を水平偏波に対応するアンテナとする。第三の組み合わせとして、第４行目に示されているように、第１アンテナ１及び第３アンテナ３を右旋円偏波に対応するアンテナとし、第２アンテナ２及び第４アンテナ４を左旋円偏波に対応するアンテナとする。第四の組み合わせとして、第５行目に示されているように、第１アンテナ１及び第３アンテナ３を左旋円偏波に対応するアンテナとし、第２アンテナ２及び第４アンテナ４を右旋円偏波に対応するアンテナとする。但し、水平偏波、垂直偏波、右旋円偏波、左旋円偏波のいずれの場合も、対応する偏波面が異なるだけで各アンテナの指向性は変わりない。
【００７２】
このような４つの組み合わせ毎に、制御回路９による第１乃至第３制御信号により図１４に示すようなモードが設定される。図１４では、本実施の形態におけるＭ乃至Ｑ（Ｏはなし）の４つのモードのそれぞれについて、第１スイッチ回路５において制御回路９から出力される第１制御信号に基づき第１入出力ポート５ａと接続される入出力ポートの参照番号、第２スイッチ回路６において制御回路９から出力される第２制御信号に基づき第１入出力ポート６ａと接続される入出力ポートの参照番号、第３スイッチ回路８において制御回路９から出力される第３制御信号に基づき第３入出力ポート８ｃと接続される入出力ポートの参照番号、第１スイッチ回路５の上記スイッチングにより選択される第１のアンテナの参照番号、第２スイッチ回路６の上記スイッチングにより選択される第２のアンテナの参照番号、第３スイッチ回路８の上記スイッチングにより選択される１８０°ハイブリッド回路７から出力される高周波信号の位相角度差、図１３（ａ）のアンテナ配置において指向性が円に見える方向、図１３（ｂ）のアンテナ配置において指向性が円に見える方向、及び図１３（ｃ）のアンテナ配置において指向性が円に見える方向が示されている。
【００７３】
モードＭの場合には、第１スイッチ回路５は第１制御信号に基づき第１入出力ポート５ａと第２入出力ポート５ｂとを接続するようにスイッチングを行い、第２スイッチ回路６は第２制御信号に基づき第１入出力ポート６ａと第２入出力ポート６ｂとを接続するようにスイッチングを行う。第３スイッチ回路８は第３制御信号に基づき第３入出力ポート８ｃと第１入出力ポート８ａとを接続するようにスイッチングを行う。その結果、選択されたアンテナは、第１アンテナ１と第３アンテナ３である。また、第３スイッチ回路８のスイッチングにより第１アンテナ１と第３アンテナ３には同位相の高周波信号が出力される。
【００７４】
モードＭにおける放射特性は図５に示されるとおりである。但し、図１１に示される第１の組み合わせであれば水平偏波、第２の組み合わせであれば垂直偏波、第３の組み合わせであれば右旋円偏波、第４の組み合わせであれば左旋円偏波についての放射特性である。なお、指向性が円、すなわち無指向性に見える方向は、図１３（ａ）の場合にはＸ軸方向から見た場合である。図１３（ｂ）の場合にはＸＹ１方向から見た場合である。図１３（ｃ）の場合にはＸＹ２の方向から見た場合である。
【００７５】
モードＮの場合には、第１スイッチ回路５は第１制御信号に基づき第１入出力ポート５ａと第２入出力ポート５ｂとを接続するようにスイッチングを行い、第２スイッチ回路６は第２制御信号に基づき第１入出力ポート６ａと第２入出力ポート６ｂとを接続するようにスイッチングを行う。第３スイッチ回路８は第３制御信号に基づき第３入出力ポート８ｃと第２入出力ポート８ｂとを接続するようにスイッチングを行う。その結果、選択されたアンテナは、第１アンテナ１と第３アンテナ３である。また、第３スイッチ回路８のスイッチングにより第１アンテナ１と第３アンテナ３には１８０°位相差のある高周波信号が出力される。
【００７６】
モードＮにおける放射特性は図６に示されるとおりである。すなわち、第３スイッチ回路８をスイッチングして第１アンテナ１と第３アンテナ３の位相を１８０°切り替えることにより、モードＭとモードＮを切り替えることになり、指向性ダイバーシティが実現されることが分かる。但し、図１１に示される第１の組み合わせであれば水平偏波、第２の組み合わせであれば垂直偏波、第３の組み合わせであれば右旋円偏波、第４の組み合わせであれば左旋円偏波についての放射特性である。なお、指向性が円、すなわち無指向性に見える方向は、図１３（ａ）の場合にはＹ軸方向から見た場合である。図１３（ｂ）の場合にはＸＹ２方向から見た場合である。図１３（ｃ）の場合にはＸＹ１の方向から見た場合である。このように図１３（ａ）、図１３（ｂ）及び図１３（ｃ）のいずれのアンテナ配置によっても、同一偏波特性において指向性を切り替えることにより直交する２つの方向から無指向性と見ることができるため、ほぼ球形の指向性を実現することができるようになる。すなわち全方向に対して対処可能である。
【００７７】
モードＰの場合には、第１スイッチ回路５は第１制御信号に基づき第１入出力ポート５ａと第３入出力ポート５ｃとを接続するようにスイッチングを行い、第２スイッチ回路６は第２制御信号に基づき第１入出力ポート６ａと第３入出力ポート６ｃとを接続するようにスイッチングを行う。第３スイッチ回路８は第３制御信号に基づき第３入出力ポート８ｃと第１入出力ポート８ａとを接続するようにスイッチングを行う。その結果、選択されたアンテナは、第２アンテナ２と第４アンテナ４である。また、第３スイッチ回路８のスイッチングにより第２アンテナ２と第４アンテナ４には位相差のない高周波信号が出力される。
【００７８】
モードＰにおける放射特性は図５に示されるとおりである。放射特性の形はモードＭと同じであるが、偏波特性は異なる。すなわち、図１１に示される第１の組み合わせであれば垂直偏波、第２の組み合わせであれば水平偏波、第３の組み合わせであれば左旋円偏波、第４の組み合わせであれば右旋円偏波についての放射特性である。よって、モードＭとモードＰを切り替えることにより偏波ダイバーシティが実現されることになる。なお、指向性が円、すなわち無指向性に見える方向は、図１３（ａ）の場合にはＹ軸方向から見た場合である。図１３（ｂ）の場合にはＸＹ２方向から見た場合である。図１３（ｃ）の場合にはＹ軸方向から見た場合である。
【００７９】
モードＱの場合には、第１スイッチ回路５は第１制御信号に基づき第１入出力ポート５ａと第３入出力ポート５ｃとを接続するようにスイッチングを行い、第２スイッチ回路６は第２制御信号に基づき第１入出力ポート６ａと第３入出力ポート６ｃとを接続するようにスイッチングを行う。第３スイッチ回路８は第３制御信号に基づき第３入出力ポート８ｃと第２入出力ポート８ｂとを接続するようにスイッチングを行う。その結果、選択されたアンテナは、第２アンテナ２と第４アンテナ４である。また、第３スイッチ回路８のスイッチングにより第２アンテナ２と第４アンテナ４には位相差１８０°の高周波信号が出力される。
【００８０】
モードＱにおける放射特性は図６に示されるとおりである。放射特性の形はモードＮと同じであるが、偏波特性は異なる。すなわち、図１１に示される第１の組み合わせであれば垂直偏波、第２の組み合わせであれば水平偏波、第３の組み合わせであれば左旋円偏波、第４の組み合わせであれば右旋円偏波についての放射特性である。よって、モードＮとモードＱを切り替えることにより偏波ダイバーシティが実現されることになる。また、第３スイッチ回路８をスイッチングして第２アンテナ２と第４アンテナ４の位相を１８０°切り替えることにより、モードＰとモードＱを切り替えることになり、指向性ダイバーシティが実現される。なお、指向性が円、すなわち無指向性に見える方向は、図１３（ａ）の場合にはＸ軸方向から見た場合である。図１３（ｂ）の場合にはＸＹ１方向から見た場合である。図１３（ｃ）の場合にはＸ軸方向から見た場合である。このように図１３（ａ）、図１３（ｂ）及び図１３（ｃ）のいずれのアンテナ配置によっても、同一偏波特性において指向性を切り替えることにより直交する２つ方向から無指向性と見ることができるため、ほぼ球形の指向性を実現することができるようになる。すなわち全方向に対処可能である。
【００８１】
但し、図１３（ａ）及び図１３（ｂ）の場合には、偏波特性は異なるが、モードＭ及びモードＮを切り替えて得られる指向性と、モードＰ及びモードＱを切り替えて得られる指向性は同一となる。しかし、図１３（ｃ）の場合には、第１アンテナ１及び第３アンテナ３を結ぶ線分と第２アンテナ２及び第４アンテナ４と結ぶ線分とが直交していないため、モードＭ及びモードＮを切り替えて得られる指向性と、モードＰ及びモードＱを切り替えて得られる指向性は一致しない。
【００８２】
このように、偏波ダイバーシティと指向性ダイバーシティを切り替えることができるため、多様な電波環境に対応でき、安定した無線通信が可能となる。なお、第２の実施の形態においては、一直線上に第１乃至第４アンテナを配置しているため偏波ダイバーシティといってもスペース・ダイバーシティの要素が含まれていたが、本実施の形態では、第１アンテナ１と第３アンテナ３とを結ぶ線分と第２アンテナ２と第４アンテナ４とを結ぶ線分が中点で交差していれば、スペース・ダイバーシティの要素は含まれない。
【００８３】
［実施の形態４］
本発明の第４の実施の形態における回路構成は第１の実施の形態と同じである。すなわち図１に示すような回路構成を採用する。また、第１乃至第４アンテナの配置については、第３の実施の形態における配置と同じであり、図１３（ａ）、図１３（ｂ）及び図１３（ｃ）に示す態様を採用する。さらに、本実施の形態における第１乃至第４アンテナの偏波特性の組み合わせは、第１の実施の形態において示した図３と同じである。すなわち本実施の形態では、第１乃至第４アンテナの偏波特性は同じものとする。
【００８４】
このような場合には、制御回路９による第１乃至第３制御信号により図１４に示されるようなモードが設定される。但し、第１乃至第４アンテナは全て同一の偏波特性を有するアンテナであるから、偏波ダイバーシティは行うことができず、全てのモードにおいて指向性ダイバーシティのみ可能となる。
【００８５】
なお、図１３（ａ）及び図１３（ｂ）の場合には、モードＭ及びモードＮを切り替えて得られる指向性と、モードＰ及びモードＱを切り替えて得られる指向性は同一となる。すなわち、直交する２方向から無指向性と見える。しかし、図１３（ｃ）の場合には、第１アンテナ１及び第３アンテナ３を結ぶ線分と第２アンテナ２及び第４アンテナ４と結ぶ線分とが直交していないため、モードＭ及びモードＮを切り替えて得られる指向性と、モードＰ及びモードＱを切り替えて得られる指向性は一致しない。すなわち、４方向から無指向性と見える。これにより図１３（ａ）及び図１３（ｂ）に比して、図１３（ｃ）の場合には球内においてサポートされる指向性の方向の数が多く、より多様な電波環境に対処することができるようになる。
【００８６】
以上本発明の４つの実施の形態を説明したが、本発明はこれに限定されるものではなく、様々な変形が可能である。第１及び第２の実施の形態では、第１乃至第４のアンテナを一直線上に設ける例を示しているが、必ずしも１直線上に設ける必要はない。特に、様々なデバイス実装条件を考慮すれば正確に共振周波数の１／４波長分の間隔を置くことができなかったり、正確に一直線上に配置できない場合もあるが、そのような場合においても本発明を適用できる。同様に第３及び第４の実施の形態においてもアンテナ配置は正確に図１３（ａ）図１３（ｂ）及び図１３（ｃ）に示されるような配置にならずとも良い。
【００８７】
さらに制御回路９は、第１乃至第３制御信号を生成するだけの機能ではなく、さらに他の機能を有する場合もある。
【００８８】
なお、上では１８０°ハイブリッド回路７を用いる例を示しているが、９０°ハイブリッド回路を用いることも可能である。さらに、１８０°に代えてθ（０＜θ＜１８０°）のハイブリッド回路を用いてもよい。
【００８９】
【発明の効果】
以上述べたように、本発明によるダイバーシティアンテナ回路は、４本のアンテナを用いて、様々な電波環境に対応可能となる。
【図面の簡単な説明】
【図１】本発明の実施の形態におけるダイバーシティアンテナ回路を示す図である。
【図２】本発明の第１及び第２の実施の形態におけるアンテナ配置図である。
【図３】本発明の第１及び第４の実施の形態における第１乃至第４アンテナの偏波特性の組み合わせを示すテーブルである。
【図４】本発明の第１の実施の形態におけるモードを説明するためのテーブルである。
【図５】本発明の実施の形態において波源間隔が１／２波長の場合の指向性（位相差０°）を示す放射特性図である。
【図６】本発明の実施の形態において波源間隔が１／２波長の場合の指向性（位相差１８０°）を示す放射特性図である。
【図７】本発明の実施の形態において波源間隔が３／４波長の場合の指向性（位相差０°）を示す放射特性図である。
【図８】本発明の実施の形態において波源間隔が３／４波長の場合の指向性（位相差１８０°）を示す放射特性図である。
【図９】本発明の実施の形態において波源間隔が１／４波長の場合の指向性（位相差０°）を示す放射特性図である。
【図１０】本発明の実施の形態において波源間隔が１／４波長の場合の指向性（位相差１８０°）を示す放射図である。
【図１１】本発明の第２及び第３の実施の形態における第１乃至第４アンテナの偏波特性の組み合わせを説明するためのテーブルである。
【図１２】本発明の第２の実施の形態におけるモードを説明するためのテーブルである。
【図１３】（ａ）乃至（ｃ）は、本発明の第３及び第４の実施の形態における第１乃至第４アンテナの配置を示す図である。
【図１４】本発明の第３及び第４の実施の形態におけるモードを説明するためのテーブルである。
【符号の説明】
１　第１アンテナ　　２　第２アンテナ　　３　第３アンテナ
４　第４アンテナ　　５　第１スイッチ回路　　６　第２スイッチ回路
７　１８０°ハイブリッド回路　　８　第３スイッチ回路
９　制御回路　　１０　ダイバーシティアンテナ回路
【図１】
2004147154.tif 000003
【図２】
2004147154.tif 000004
【図３】
2004147154.tif 000005
【図４】
2004147154.tif 000006
【図５】
2004147154.tif 000007
【図６】
2004147154.tif 000008
【図７】
2004147154.tif 000009
【図８】
2004147154.tif 000010
【図９】
2004147154.tif 000011
【図１０】
2004147154.tif 000012
【図１１】
2004147154.tif 000013
【図１２】
2004147154.tif 000014
【図１３】
2004147154.tif 000015
【図１４】
2004147154.tif 000016